(57)【要約】【課題】ネットワーク録画サービス事業者やオンデマンド配信サービス事業者等がきめ細かくサービスを提供するようにする。【解決手段】放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成しておく。放送された放送コンテンツに多重化されている放送ＥＣＭを分離し、前記第２のＥＣＭと入れ替え、前記第２のＥＣＭを多重化した放送コンテンツを蓄積し、ユーザ端末からの要求に応じて配信する。ユーザ端末は、予め配布された第２のワーク鍵を用いて、放送コンテンツを再生する。【選択図】図１
2010161505.tif 000002
【特許請求の範囲】
【請求項１】
放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成するＥＣＭ生成手段と、
放送された放送コンテンツに多重化されている放送ＥＣＭを分離し、前記第２のＥＣＭと入れ替えるＥＣＭ入替手段と、
前記第２のＥＣＭを多重化した放送コンテンツを蓄積し、ユーザ端末からの要求に応じて配信する放送コンテンツ蓄積配信手段と、を備え、
前記第２のＥＣＭを用いて放送コンテンツの選択的配信を行う放送コンテンツ蓄積配信システム。
【請求項２】
前記ＥＣＭ生成手段は、前記第２のＥＣＭのＥＣＭ属性情報として、前記放送ＥＣＭとは異なる有効期限を設定する請求項１の放送コンテンツ蓄積配信システム。
【請求項３】
更に、放送コンテンツの選択的配信サービスを提供する事業者毎に、前記第２のＥＣＭに付与すべき有効期限を記憶するサービス契約情報蓄積手段を有し、
前記サービス契約情報蓄積手段に記憶された内容を参照して、事業者毎に前記第２のＥＣＭを生成し、ＥＣＭ属性情報としてそれぞれ有効期限を設定する請求項１又は２の放送コンテンツ蓄積配信システム。
【請求項４】
前記ＥＣＭ生成手段は、前記放送ＥＣＭを用いて放送コンテンツを放送する放送サービス装置側に配置され、
前記ＥＣＭ入替手段と、前記映像蓄積手段と、前記ＥＣＭ生成手段にて作成された第２のＥＣＭを蓄積するＥＣＭ蓄積手段と、がネットワーク録画装置に配置され、
前記ネットワーク録画装置のＥＣＭ入替手段は、前記ＥＣＭ蓄積手段から、放送コンテンツと同一のスクランブル鍵が暗号化された第２のＥＣＭを取り出して、ＥＣＭの入れ替えを行う請求項１から３いずれか一の放送コンテンツ蓄積配信システム。
【請求項５】
前記ＥＣＭ生成手段は、前記第２のＥＣＭを予め定めた期間蓄積し、ネットワーク録画装置から要求された第２のＥＣＭに有効期限を設定して送信する請求項１から３いずれか一の放送コンテンツ蓄積配信システム。
【請求項６】
前記ユーザ端末が前記放送コンテンツ蓄積配信手段から受信して再生可能な放送コンテンツは、ユーザ端末が設定した録画予約に基づいて決定される請求項１から５いずれか一の放送コンテンツ蓄積配信システム。
【請求項７】
放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成しておき、
放送された放送コンテンツに多重化されている放送ＥＣＭを分離し、前記第２のＥＣＭと入れ替え、
前記第２のＥＣＭを多重化した放送コンテンツを蓄積し、ユーザ端末からの要求に応じて配信する放送コンテンツ蓄積配信方法。
【請求項８】
前記第２のＥＣＭのＥＣＭ属性情報として、前記放送ＥＣＭとは異なる有効期限を設定する請求項７の放送コンテンツ蓄積配信方法。
【請求項９】
放送コンテンツの選択的配信サービスを提供する事業者毎に、前記第２のＥＣＭに付与すべき有効期限を決めておき、
放前記送コンテンツの選択的配信サービスを提供する事業者毎に、前記第２のＥＣＭを生成し、ＥＣＭ属性情報としてそれぞれ有効期限を設定する請求項７又は８の放送コンテンツ蓄積配信方法。
【請求項１０】
前記放送ＥＣＭを用いて放送コンテンツを放送する放送サービス装置が、前記第２のＥＣＭを生成して、ネットワーク録画装置に送信し、
前記ネットワーク録画装置が、放送サービス装置から受信した第２のＥＣＭを蓄積し、
前記蓄積した第２のＥＣＭの中から、放送コンテンツと同一のスクランブル鍵が暗号化された第２のＥＣＭを取り出して、ＥＣＭの入れ替えを行う請求項７から９いずれか一の放送コンテンツ蓄積配信方法。
【請求項１１】
前記放送ＥＣＭを用いて放送コンテンツを放送する放送サービス装置が、前記第２のＥＣＭを予め定めた期間蓄積し、ネットワーク録画装置から要求された第２のＥＣＭに有効期限を設定して送信する請求項７から９いずれか一の放送コンテンツ蓄積配信方法。
【請求項１２】
前記ユーザ端末が前記放送コンテンツ蓄積配信手段から受信して再生可能な放送コンテンツは、ユーザ端末が設定した録画予約に基づいて決定される請求項７から１１いずれか一の放送コンテンツ蓄積配信方法。
【請求項１３】
放送された放送コンテンツに多重化されている放送ＥＣＭ（Ｅｎｔｉｔｌｅｍｅｎｔ  Ｃｏｎｔｒｏｌ  Ｍｅｓｓａｇｅ）を分離し、当該放送ＥＣＭの暗号化に用いたワーク鍵とは異なる第２のワーク鍵で、前記放送ＥＣＭに含まれるスクランブル鍵を暗号化した第２のＥＣＭと入れ替えるＥＣＭ入替手段と、
前記第２のＥＣＭを多重化した放送コンテンツを蓄積し、ユーザ端末からの要求に応じて配信する放送コンテンツ蓄積配信手段と、を備え、
前記第２のＥＣＭを用いて放送コンテンツの選択的配信を行う放送コンテンツ蓄積配信装置。
【請求項１４】
予め作成された第２のＥＣＭを蓄積するＥＣＭ蓄積手段を備え、
前記ネットワーク録画装置のＥＣＭ入替手段は、前記ＥＣＭ蓄積手段から、放送コンテンツと同一のスクランブル鍵が暗号化された第２のＥＣＭを取り出して、ＥＣＭの入れ替えを行う請求項１３の放送コンテンツ蓄積配信装置。
【請求項１５】
前記ユーザ端末が、前記放送コンテンツ蓄積配信手段から視聴可能な放送コンテンツは、ユーザ端末が設定した録画予約に基づいて決定される請求項１３又は１４の放送コンテンツ蓄積配信装置。
【請求項１６】
放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成するＥＣＭ生成手段を備えて、請求項１３から１５いずれか一の放送コンテンツ配信装置に対して前記第２のＥＣＭを送信する放送サービス装置。
【請求項１７】
前記ＥＣＭ生成手段は、前記第２のＥＣＭのＥＣＭ属性情報として、前記放送ＥＣＭとは異なる有効期限を設定する請求項１６の放送サービス装置。
【請求項１８】
更に、放送コンテンツの選択的配信サービスを提供する事業者毎に、前記第２のＥＣＭに付与すべき有効期限を記憶するサービス契約情報蓄積手段を有し、
前記サービス契約情報蓄積手段に記憶された内容を参照して、事業者毎に前記第２のＥＣＭを生成し、ＥＣＭ属性情報としてそれぞれ有効期限を設定する請求項１６又は１７の放送サービス装置。
【請求項１９】
前記ＥＣＭ生成手段は、前記第２のＥＣＭを予め定めた期間蓄積し、ネットワーク録画装置から要求された第２のＥＣＭに有効期限を設定して送信する請求項１６から１８いずれか一の放送サービス装置。
【請求項２０】
放送された放送コンテンツに多重化されている放送ＥＣＭ（Ｅｎｔｉｔｌｅｍｅｎｔ  Ｃｏｎｔｒｏｌ  Ｍｅｓｓａｇｅ）を分離し、当該放送ＥＣＭの暗号化に用いたワーク鍵とは異なる第２のワーク鍵で、前記放送ＥＣＭに含まれるスクランブル鍵を暗号化した第２のＥＣＭと入れ替えるＥＣＭ入替処理と、
前記第２のＥＣＭを多重化した放送コンテンツを蓄積し、ユーザ端末からの要求に応じて配信する放送コンテンツ蓄積配信処理と、をコンピュータに実行させ、
前記第２のＥＣＭを用いて放送コンテンツの選択的配信を行わせるプログラム。
【請求項２１】
放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成するＥＣＭ生成処理と、
請求項１３から１５いずれか一の放送コンテンツ配信装置に対して前記第２のＥＣＭを送信する処理とを、放送サービス装置を構成するコンピュータに実行させるプログラム。
【発明の詳細な説明】
【技術分野】
【０００１】
本発明は、放送コンテンツ蓄積配信システム、放送コンテンツ蓄積配信方法、該方法を実施するための装置、及び、プログラムに関し、特に、放送されたコンテンツを蓄積して配信する放送コンテンツ蓄積配信システム、放送コンテンツ蓄積配信方法、該方法を実施するための装置、及び、プログラムに関する。
【背景技術】
【０００２】
ネットワークの高速化に伴い、ＩＰネットワークで映像等を配信するＩＰＴＶサービスが始まっている。ＩＰＴＶサービスにはＴＶ放送と同じように常時番組を配信する放送サービスと、ユーザの要求によって映像を配信するビデオオンデマンドサービスがある。さらに、放送サービスで配信されている番組の見逃しを補完するため、ネットワークで放送サービスを受信、蓄積し、ユーザからの要求により蓄積した放送番組を配信するネットワーク録画サービス（ｎＰＶＲサービス：ｎｅｔｗｏｒｋ  Ｐｅｒｓｏｎａｌ  Ｖｉｄｅｏ  Ｒｅｏｒｄｅｒ）がある。
【０００３】
従来のネットワーク録画システムの一例が、特許文献１に記載されている。特許文献１の図２に記載されているように、この従来のネットワーク録画システムは、放送番組を蓄積する番組蓄積手段と、前記蓄積手段が蓄積すべき番組を決定し、蓄積手段への蓄積を制御する録画予約手段と、前記蓄積手段に蓄積されている番組を複数のユーザに送出する番組送出手段と、前記番組蓄積手段に蓄積されている番組に付与されている蓄積期限に基づき前記蓄積期限を超過した番組を前記番組蓄積手段から削除する番組管理手段とから構成されている。
【０００４】
このような構成を有する従来のネットワーク録画システムは次のように動作する。すなわち、録画予約手段が保有する録画予約情報に従って、番組蓄積手段が放送番組を蓄積し、番組送出手段は蓄積した放送番組の視聴を要求するユーザへ蓄積した放送番組を送出し、番組管理手段は番組蓄積手段に蓄積されている蓄積期限に基づいて、蓄積期限を超過した番組を番組蓄積手段から削除するように動作する。
【０００５】
また、特許文献２、３には、スクランブルコンテンツとともに、スクランブルコンテンツを視聴可能にするＥＣＭ（Ｅｎｔｉｔｌｅｍｅｎｔ  Ｃｏｎｔｒｏｌ  Ｍｅｓｓａｇｅ）を配信するコンテンツ配信装置やコンテンツ再生制御システムが開示されている。
【先行技術文献】
【特許文献】
【０００６】
【特許文献１】特許３５５１９２１号公報  （図２）
【特許文献２】特開２００６−１４８４１６号公報
【特許文献３】特開２００５−１６００３２号公報
【発明の概要】
【発明が解決しようとする課題】
【０００７】
インターネットサービスプロバイダ等の第三者が、加入者に対する新たな付加価値を提供するサービスとして、ネットワーク録画サービスや、オンデマンド配信サービスを提供する場合、特許文献２、３のような放送コンテンツを視聴するためのワーク鍵を別途入手しなければならないという問題点がある。
【０００８】
例えば、ある放送サービス事業者が過去に放送した特定のコンテンツのみを視聴したいというユーザはその一部のコンテンツを見るために、録画サービス料金とは別に、放送サービス提供者と契約する必要が生じてしまう。
【０００９】
一方、当該放送サービス提供者と既に契約しているユーザは、当該特定のコンテンツのみならず、ネットワーク録画サービスやオンデマンド配信サービスで提供されるコンテンツを無制限に視聴することが可能となってしまい、ネットワーク録画サービスやオンデマンド配信サービスを提供する事業者が、それぞれ独自の視聴制限等を設けることができなくなってしまう。
【００１０】
更に、今後一層放送サービス提供者が増えるとともに、各放送サービス提供者が、番組放送後のごく短い期間のみを有効期間とするＥＣＭを設定し、タイムシフト視聴に一定の制限を設けることも十分に考えられる。そうなると、特定のコンテンツのみの視聴を実現する上記ネットワーク録画サービスや、オンデマンド配信サービスの利用機会が増大し、ネットワーク録画サービス事業者やオンデマンド配信サービス事業者固有の視聴制御が一層重要になるものと予想される。
【００１１】
本発明は、上記した事情に鑑みてなされたものであって、放送サービス事業者が設ける視聴制限とは別に、ネットワーク録画サービス事業者やオンデマンド配信サービス事業者がきめ細かくサービスを提供できるよう独自の視聴制御をなしうる放送コンテンツ蓄積配信システムを提供することにある。
【課題を解決するための手段】
【００１２】
本発明の第１の視点によれば、放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成するＥＣＭ生成手段と、放送された放送コンテンツに多重化されている放送ＥＣＭを分離し、前記第２のＥＣＭと入れ替えるＥＣＭ入替手段と、前記第２のＥＣＭを多重化した放送コンテンツを蓄積し、ユーザ端末からの要求に応じて配信する放送コンテンツ蓄積配信手段と、を備え、前記第２のＥＣＭを用いて放送コンテンツの選択的配信を行う放送コンテンツ蓄積配信システムが提供される。
【００１３】
本発明の第２の視点によれば、放送コンテンツに多重化される放送ＥＣＭ（Ｅｎｔｉｔｌｅｍｅｎｔ  Ｃｏｎｔｒｏｌ  Ｍｅｓｓａｇｅ）の暗号化に用いたワーク鍵とは異なる第２のワーク鍵で、前記放送ＥＣＭに含まれるスクランブル鍵を暗号化した第２のＥＣＭを生成しておき、放送された放送コンテンツに多重化されている放送ＥＣＭを分離し、前記第２のＥＣＭと入れ替え、前記第２のＥＣＭを多重化した放送コンテンツを蓄積し、ユーザ端末からの要求に応じて配信する放送コンテンツ配信方法が提供される。
【００１４】
本発明の第３の視点によれば、上記した放送コンテンツ配信システムを構成する放送コンテンツ配信装置及び放送サービス装置、並びに、これら装置を構成するコンピュータに実行させるプログラムが提供される。また、前記各プログラムは、任意の記録媒体に記録した形態を採ることができる。
【発明の効果】
【００１５】
本発明によれば、ネットワーク録画サービス事業者やオンデマンド配信サービス事業者が、各サービスの違いや各事業者が設定した利用金体系等に応じ、コンテンツへの視聴制御を行うことが可能になる。その理由は、放送コンテンツに多重化される放送ＥＣＭとは別に第２のＥＣＭを生成し、放送ＥＣＭと入れ替えて蓄積・配信できる構成を採用したことにある。
【図面の簡単な説明】
【００１６】
【図１】本発明の概要を説明するためのブロック図である。
【図２】本発明の第１の実施形態の概要構成を示すブロック図である。
【図３】図２の各装置の詳細構成を表したブロック図である。
【図４】本発明の第１の実施形態のマルチキャストヘッドエンドで生成される放送ＥＣＭの一例を示した図である。
【図５】本発明の第１の実施形態のマルチキャストヘッドエンドで生成されるｎＰＶＲＥＣＭの一例を示した図である。
【図６】本発明の第１の実施形態のマルチキャストヘッドエンドのサービス契約情報蓄積手段に保持される情報の一例である。
【図７】本発明の第１の実施形態のマルチキャストヘッドエンドの動作の具体例を示す図である。
【図８】本発明の第１の実施形態のマルチキャストヘッドエンドの動作の具体例を示す別の図である。
【図９】本発明の第１の実施形態のネットワーク録画装置の動作の具体例を示す図である。
【図１０】本発明の第１の実施形態の視聴端末の動作の具体例を示す図である。
【発明を実施するための形態】
【００１７】
始めに、本発明の概要について図面を参照して説明する。図１は、本発明の概要を表したブロック図である。図１を参照すると、第２のＥＣＭ生成手段４０ａと、ＥＣＭ入替手段８０ａと、放送コンテンツ蓄積配信手段１００ａと、を備えた放送コンテンツ蓄積配信システム５が示されている。
【００１８】
ユーザ端末３ａは、放送コンテンツ蓄積配信システム５にアクセスして、放送コンテンツ蓄積配信システム５の運営事業者等との契約に基づき受信した放送コンテンツを視聴するパーソナルコンピュータ、車載端末や携帯端末等である。
【００１９】
ＥＣＭはＥｎｔｉｔｌｅｍｅｎｔ  Ｃｏｎｔｒｏｌ  Ｍｅｓｓａｇｅの略で、放送の限定視聴を実現するために一般的に利用される用語である。ＥＣＭは、放送コンテンツを暗号化するための暗号鍵（「スクランブル鍵」と呼ぶ。）とＥＣＭ属性情報を、別の鍵（「ワーク鍵」と呼ぶ）で暗号化したデータである。ＥＣＭ属性情報とは、ＥＣＭの有効期限などの情報である。
【００２０】
放送コンテンツ蓄積配信システム５は、図示省略した放送サービス事業者から、暗号化されたスクランブル鍵を含んだＥＣＭと、放送コンテンツを受信する。以下、放送サービス事業者が送信してくるＥＣＭを、「放送ＥＣＭ」と呼び、次の第２のＥＣＭ生成手段４０ａで生成する「第２のＥＣＭ」と区別する。
【００２１】
第２のＥＣＭ生成手段４０ａは、放送ＥＣＭの暗号化に用いたワーク鍵（放送サービス事業者の「ワーク鍵」）とは異なる第２のワーク鍵で、放送ＥＣＭに含まれるスクランブル鍵を暗号化した第２のＥＣＭを生成し、ＥＣＭ入替手段８０ａに出力する。なお、スクランブル鍵は、放送ＥＣＭから取り出しても良いし、あるいは、放送サービス事業者から直接受け取ることとしてもよい。第２のＥＣＭ生成手段４０ａがスクランブル鍵の暗号化に用いた第２のワーク鍵は、放送コンテンツ蓄積配信システム５の運営事業者から、電子メール等の適当な手段で、当該する放送コンテンツの視聴を申し込んだユーザ端末３ａのユーザに配布される。
【００２２】
ＥＣＭ入替手段８０ａは、放送コンテンツに多重化されている放送ＥＣＭを分離し、分離した放送ＥＣＭを前記第２のＥＣＭと入れ替える処理を行う。
【００２３】
放送コンテンツ蓄積配信手段１００ａは、前記第２のＥＣＭと、放送コンテンツを多重化した状態で蓄積し、ユーザ端末からの要求に応じて配信する処理を行う。
【００２４】
前述のとおり、ユーザ端末３ａには、第２のＥＣＭ生成手段４０ａがスクランブル鍵を暗号化し直した第２のワーク鍵が配布されている。従って、ユーザ端末３ａは、放送コンテンツ蓄積配信システム５から受信した放送コンテンツから取り出した第２のＥＣＭを、前記ワーク鍵で復号し、スクランブル鍵を得て、コンテンツを再生することができる。
【００２５】
そして、放送コンテンツ蓄積配信システム５の運営事業者等が定めるポリシの下、前記ワーク鍵を変更することで、ユーザ毎に、放送コンテンツの視聴制限を加えることができる。
【００２６】
以上により、放送コンテンツ蓄積配信システム５の運営事業者等は、放送サービス事業者が用意する課金形態とは別の形態で、放送コンテンツの蓄積型配信を実施することが可能となる。例えば、放送サービス事業者が、一般視聴者に対し１月当たりのサービス料金を徴収する形態を採る場合に、放送コンテンツ蓄積配信システム５の運営事業者等は、ネットワーク録画サービス、オンデマンド配信サービスとして、１コンテンツ、１シリーズといった単位で、サービス料金を徴収することが可能となる。
【００２７】
［第１の実施形態］
次に、本発明をネットワーク録画システムに適用した本発明の第１の実施形態について図面を参照して詳細に説明する。
【００２８】
図２は、本発明の第１の実施形態の概要構成を示すブロック図である。図２を参照すると、マルチキャストヘッドエンド１と、ネットワーク録画装置２と、視聴端末３とが示されている。
【００２９】
マルチキャストヘッドエンド１と、ネットワーク録画装置２と、視聴端末３とはそれぞれネットワーク４を介して接続されている。視聴端末３は、マルチキャストヘッドエンド１から放送（マルチキャスト）された映像コンテンツをリアルタイムに視聴したり、あるいは、ネットワーク録画装置２を介して、タイムシフト視聴することが可能となっている。
【００３０】
図３は、図２のマルチキャストヘッドエンド１、ネットワーク録画装置２及び視聴端末３の詳細構成を表したブロック図である。
【００３１】
マルチキャストヘッドエンド１は、スクランブル手段１０と、多重化手段２０と、放送ＥＣＭ生成手段３０と、ｎＰＶＲＥＣＭ生成手段４０と、ＥＣＭ送出手段５０と、サービス契約情報蓄積手段６０とを備えて構成される。
【００３２】
ネットワーク録画装置２は、分離手段７０と、ＥＣＭ入替手段８０と、多重化手段２０と、ＥＣＭ蓄積手段９０と、映像蓄積手段１００と、ＥＣＭ受信手段１１０とを備えて構成される。
【００３３】
視聴端末３は、分離手段７０と、ＥＣＭ利用判定手段１２０と、デスクランブル手段１３０とを備えて構成される。
【００３４】
これらの手段は、前記各装置に搭載するハードウェア、又は、前記各装置を構成するコンピュータに実行させるプログラムによって実現可能であり、それぞれ概略つぎのように動作する。
【００３５】
スクランブル手段１０は、映像を暗号化するために利用するスクランブル鍵とスクランブル鍵ＩＤを生成し、映像ソースとして放送する映像データを受け取り、スクランブル鍵で当該映像データを暗号化して多重化手段２０へ渡す。また、スクランブル手段１０は、暗号化に利用したチャネルＩＤとスクランブル鍵とスクランブル鍵ＩＤを放送ＥＣＭ生成手段３０とｎＰＶＲＥＣＭ生成手段４０へ渡す。
【００３６】
マルチキャストヘッドエンド１に配された多重化手段２０は、スクランブル手段１０にて暗号化された映像データと放送ＥＣＭ生成手段３０から受け取った放送サービス用ＥＣＭを多重化して、放送サービスとして配信する。
【００３７】
放送ＥＣＭ生成手段３０は、スクランブル手段１０から受け取ったスクランブル鍵を、放送チャネルに対応したワーク鍵で暗号化して、放送ＥＣＭを生成し、多重化手段２０へ渡す。ワーク鍵は、放送ＥＣＭ生成手段３０で生成しても良いし、別の手段が生成して放送ＥＣＭ生成手段３０へ渡しても良いが、最終的にはなんらかの手段で該当チャネルの視聴契約をしたユーザへ配布する必要がある。また、放送ＥＣＭには、スクランブル鍵とＥＣＭ属性情報の他に、放送チャネル、スクランブル鍵、サービス、サービスを提供するサービスプロバイダをそれぞれ一意に特定できるＩＤが付与されているものとする。
【００３８】
図４は、放送ＥＣＭの一例を示した図である。図４の例では、ワーク鍵で暗号化されたスクランブル鍵「１２３４５６７」のほかに、属性情報として放送ＥＣＭの有効期限「１日間」が設定されている。また、図４の例では、サービスプロバイダＩＤが「ＳＰ−０」であるサービスプロバイダが提供する「ＢＣ」サービスにおいて、チャネル「１１１１」に利用されるＥＣＭであり、スクランブル鍵のＩＤが「２２２２」であることを示している。
【００３９】
上記のような属性情報は、予め放送ＥＣＭ生成手段３０に設定されているものとする。また、スクランブル鍵とスクランブル鍵を暗号化したワーク鍵との対応は、ＥＣＭに記載されたサービスＩＤ、放送チャネルＩＤ、サービスプロバイダＩＤで決定されるものとする。
【００４０】
ｎＰＶＲＥＣＭ生成手段４０は、ネットワーク録画サービスを提供しているサービスプロバイダ毎に異なるｎＰＶＲＥＣＭ（ｎｅｔｗｏｒｋ  Ｐｒｉｖａｔｅ  Ｖｉｄｅｏ  Ｒｅｃｏｒｄｅｒ  ＥＣＭ）を生成する第２のＥＣＭ生成手段として機能する。具体的には、サービス契約情報蓄積手段６０が保持しているサービスプロバイダ毎に設定されたＥＣＭ有効期間情報をＥＣＭ属性情報とし、スクランブル手段１０から受け取ったスクランブル鍵を放送ＥＣＭとは異なるワーク鍵（第２のワーク鍵）で暗号化して、ＥＣＭ送出手段５０へ渡す。
【００４１】
ｎＰＶＲＥＣＭ生成手段４０は、サービス契約情報蓄積手段６０に記載されているすべてのサービスプロバイダに対して、ｎＰＶＲＥＣＭを生成する。ワーク鍵（第２のワーク鍵）は、ｎＰＶＲＥＣＭ生成手段４０で生成しても良いし、別の手段が生成してｎＰＶＲＥＣＭ生成手段４０へ渡しても良いが、最終的には何らかの手段で該当チャネルの視聴契約をしたユーザへ配布する必要がある。
【００４２】
図５は、ｎＰＶＲＥＣＭの一例を示した図である。図５の例では、ワーク鍵で暗号化されたスクランブル鍵「７６５４３２１」のほかに、属性情報としてｎＰＶＲＥＣＭの有効期限「７日間」が設定されている。また、図５の例では、サービスプロバイダＩＤが「ＳＰ−１」であるサービスプロバイダが提供する「ｎＰＶＲ」サービスにおいて、チャネル「１１１１」に利用されるＥＣＭであり、スクランブル鍵のＩＤが「２２２２」（つまり、放送ＥＣＭと同じスクランブル鍵）であることを示している。
【００４３】
ＥＣＭ送出手段５０は、ｎＰＶＲＥＣＭを受け取ると、ｎＰＶＲＥＣＭに記載されたサービスプロバイダＩＤで特定されるサービスプロバイダのネットワーク録画装置へｎＰＶＲＥＣＭを送出する。
【００４４】
サービス契約情報蓄積手段６０は、マルチキャストヘッドエンドを運用するサービスプロバイダ（放送サービス事業者）と、マルチキャストヘッドエンドから放送された映像データを映像ソースとして、ネットワーク録画サービスを提供する１以上のサービスプロバイダとの契約情報を保持している。
【００４５】
図６は、サービス契約情報蓄積手段６０に保持される情報の一例を示した図である。図６の例では、サービスプロバイダ名とサービスＩＤとサービスプロバイダへ配布するＥＣＭの有効期間が保持されている。例えば、サービスプロバイダ「ＳＰ−１」の場合、サービスＩＤは、同社の提供するサービスがネットワーク録画サービスであることを示す「ｎＰＶＲ」であり、ＥＣＭ有効期間が７日間であることを示している。
【００４６】
ネットワーク録画装置２の分離手段７０は、マルチキャストヘッドエンド１の多重化手段２０で多重化された映像データと放送ＥＣＭを分離し、分離した映像データはネットワーク録画装置２の多重化手段２０へ渡し、放送ＥＣＭはＥＣＭ入替手段８０へ渡す。
【００４７】
視聴端末３の分離手段７０は、マルチキャストヘッドエンド１又はネットワーク録画装置２の多重化手段２０で多重化された映像データと、放送ＥＣＭ又はｎＰＶＲＥＣＭを分離し、分離した映像データは視聴端末３のデスクランブル手段１３０へ渡し、放送ＥＣＭ又はｎＰＶＲＥＣＭはＥＣＭ利用判定手段１２０へ渡す。
【００４８】
ＥＣＭ入替手段８０は、ＥＣＭ蓄積手段９０に蓄積されたＥＣＭの中から、スクランブル鍵ＩＤに基づいて、分離手段７０から受け取った放送ＥＣＭに格納されているスクランブル鍵と同一のスクランブル鍵が格納されたｎＰＶＲＥＣＭを入手し、入手したｎＰＶＲＥＣＭをネットワーク録画装置２の多重化手段２０へ渡す。
【００４９】
ＥＣＭ蓄積手段９０は、ＥＣＭ受信手段１１０が受信したｎＰＶＲＥＣＭを蓄積する。
【００５０】
映像蓄積手段１００は、ネットワーク録画装置２の多重化手段２０で多重化された映像データを蓄積し、視聴端末３から要求された映像データを送信する放送コンテンツ蓄積配信手段として機能する。
【００５１】
ＥＣＭ受信手段１１０は、ＥＣＭ送出手段５０から送出されたｎＰＶＲＥＣＭを受信して、受信したｎＰＶＲＥＣＭをＥＣＭ蓄積手段９０へ渡す。
【００５２】
視聴端末３のＥＣＭ利用判定手段１２０は、視聴端末３の分離手段７０が分離した放送ＥＣＭ又はｎＰＶＲＥＣＭを復号可能なワーク鍵を保持しているかどうか確認し、保持している場合は当該ワーク鍵を用いて放送ＥＣＭ又はｎＰＶＲＥＣＭ内の暗号化されたスクランブル鍵を復号し、スクランブル鍵をデスクランブル手段１３０へ渡す。
【００５３】
デスクランブル手段１３０は、視聴端末３の分離手段７０から受け取った暗号化映像をＥＣＭ利用判定手段１２０から受け取ったスクランブル鍵で復号し、ディスプレイなどの映像出力装置へ渡して映像として再生する。
【００５４】
続いて、本実施形態に係るネットワーク録画システムの動作について、図７から図１０のフローチャートを参照して詳細に説明する。
【００５５】
まず、マルチキャストヘッドエンド１の動作について図７を用いて説明する。図７を参照すると、映像ソースを受け取ると、マルチキャストヘッドエンド１のスクランブル手段１０は、スクランブル鍵、スクランブル鍵ＩＤを生成する（ステップＳ６０１）。
【００５６】
マルチキャストヘッドエンド１のスクランブル手段１０は、生成したスクランブル鍵、スクランブル鍵ＩＤをｎＰＶＲＥＣＭ生成手段４０へ送付するとともに（ステップＳ６０２）、放送ＥＣＭ生成手段３０へも送付する（ステップＳ６０３）。
【００５７】
ステップＳ６０３でスクランブル鍵などを受けとった放送ＥＣＭ生成手段３０は、放送ＥＣＭを生成して多重化手段２０へ送付する（ステップＳ６１１）。
【００５８】
次に、スクランブル手段１０は、スクランブル鍵で映像を暗号化し、暗号化した映像を多重化手段２０へ渡す（ステップＳ６０４）。
【００５９】
多重化手段２０は、ステップＳ６０４で暗号化された映像と、ステップＳ６１１で生成された放送ＥＣＭを受け取ると、多重化してネットワークへ配信する（ステップＳ６２１）。
【００６０】
受け取っている映像ソースが終了していなければ（ステップＳ６０５の「Ｎ」）、スクランブル手段１０は、再度ステップＳ６０１からの処理を繰り返す。
【００６１】
一方、受け取っている映像ソースが終了した場合は（ステップＳ６０５の「Ｙ」）、スクランブル手段１０は、一連の処理を終了する。
【００６２】
次に、マルチキャストヘッドエンド１のｎＰＶＲＥＣＭ生成手段４０の動作について図８を用いて説明する。図８を参照すると、まず、図７のステップＳ６０２でスクランブル鍵などを受けとったｎＰＶＲＥＣＭ生成手段４０は、サービス契約情報蓄積手段６０に保持されている情報を参照して、各サービスプロバイダ向けにｎＰＶＲＥＣＭを生成する（ステップＳ７０１）。
【００６３】
次に、ｎＰＶＲＥＣＭ生成手段４０は、生成したｎＰＶＲＥＣＭをＥＣＭ送出手段５０へ送付する（ステップＳ７０２）。
【００６４】
ステップＳ７０２で生成されたｎＰＶＲＥＣＭを受け取ったＥＣＭ送出手段５０は、該当するサービスプロバイダに対しｎＰＶＲＥＣＭを送付する（ステップＳ７１０）。ＥＣＭ送出手段５０から送付されたＥＣＭを受け取ったネットワーク録画装置２のＥＣＭ受信手段１１０は、受け取ったｎＰＶＲＥＣＭをＥＣＭ蓄積手段９０へ蓄積する（ステップＳ７２０）。
【００６５】
ｎＰＶＲＥＣＭ生成手段４０は、サービス契約情報蓄積手段６０を参照し、ｎＰＶＲＥＣＭを生成していないサービスプロバイダがあれば（ステップＳ７０３の「Ｙ」）、ステップＳ７０１からの処理を繰り返す。一方、すべてのサービスプロバイダのｎＰＶＲＥＣＭを生成したら（ステップＳ７０３の「Ｎ」）、処理を終了する。
【００６６】
次に、ネットワーク録画装置２の動作について図９を用いて説明する。図９を参照すると、マルチキャストヘッドエンド１から暗号化、多重化された映像データを受信すると、ネットワーク録画装置２の分離手段７０は、受信したデータを放送ＥＣＭと暗号化映像とに分離する（ステップＳ８０１）。
【００６７】
ネットワーク録画装置２の分離手段７０は、ＥＣＭ入替手段８０に対し、分離した放送ＥＣＭを送付する（ステップＳ８０２）。
【００６８】
次に、分離手段７０は、ネットワーク録画装置２の多重化手段２０に対し、分離した暗号化映像を送付する（ステップＳ８０３）。
【００６９】
ＥＣＭ入替手段８０は、放送ＥＣＭを受け取ると、受け取った放送ＥＣＭに記載されているスクランブル鍵ＩＤ、サービスＩＤおよびチャネルＩＤが一致するｎＰＶＲＥＣＭを、ＥＣＭ蓄積手段９０から入手し、多重化手段２０に対し、入手したｎＰＶＲＥＣＭを渡す（ステップＳ８０４）。
【００７０】
ネットワーク録画装置２の多重化手段２０は、ステップＳ８０３で分離された暗号化映像と、ステップＳ８０４で入手したｎＰＶＲＥＣＭを受け取ると、暗号化映像とＥＣＭを多重化して映像蓄積手段１００へ蓄積する（ステップＳ８０５）。
【００７１】
次に、視聴端末３の動作について図１０を用いて説明する。図１０を参照すると、視聴端末３の分離手段７０は、マルチキャストヘッドエンド１又はネットワーク録画装置２から映像データを受信すると（ステップＳ９０１）、ＥＣＭと暗号化映像データに分離する（ステップＳ９０２）。
【００７２】
次に、分離した暗号化映像はデスクランブル手段１３０へ入力される（ステップＳ９０３）。一方、分離したＥＣＭ（放送ＥＣＭ／ｎＰＶＲＥＣＭ）はＥＣＭ利用判定手段１２０へ入力される（ステップＳ９０４）。
【００７３】
ＥＣＭ利用判定手段１２０は、受け取ったＥＣＭ（放送ＥＣＭ／ｎＰＶＲＥＣＭ）の有効期間を参照し、有効なら、該当ＥＣＭをデスクランブル手段１３０へ送付する（ステップＳ９０６の「Ｙ」）。
【００７４】
デスクランブル手段１３０は、受け取ったＥＣＭ（放送ＥＣＭ／ｎＰＶＲＥＣＭ）からスクランブル鍵を取り出して、スクランブル鍵で暗号化映像を復号して（ステップＳ９０７）、処理を終了する。
【００７５】
受け取ったＥＣＭが有効でない場合、ＥＣＭ利用判定手段１２０は、処理を終了する（ステップＳ９０６の「Ｎ」）。
【００７６】
以上のようにして、本実施形態では、サービスプロバイダ、サービス、チャネル毎に第２のＥＣＭ（ｎＰＶＲＥＣＭ）を生成、サービスプロバイダが視聴制御に用いることができるようにしたため、特別な処理をすることなく、ネットワーク録画サービスやＶＯＤ（Ｖｉｄｅｏ  Ｏｎ  Ｄｅｍａｎｄ）配信サービスを展開することができる。
【００７７】
以上、具体例を示した本発明の好適な実施形態を説明したが、本発明は、上記した実施形態や具体例に限定されるものではなく、本発明の基本的技術的思想を逸脱しない範囲で、更なる変形・置換・調整を加えることができる。例えば、上記した実施形態では、ｎＰＶＲＥＣＭ生成手段４０が、ｎＰＶＲＥＣＭを生成するものとして説明したが、ＶＯＤ配信サービスを行う場合には、そのために別のＥＣＭ（ＶＯＤＥＣＭ）を生成するものとしてもよい。
【００７８】
また例えば、上記した実施形態では、放送コンテンツとして、映像データを配信するものとして説明したが、映像だけでなく、音声データ、あるいは、映像データと音声データからなるデータを蓄積配信するシステムに適用することが可能である。
【００７９】
また、上記した実施形態では、ＥＣＭの属性情報として有効期間を設定するものとして説明したが、ｎＰＶＲＥＣＭの有効期間が経過した映像コンテンツであっても、再度マルチキャストヘッドエンド１からｎＰＶＲＥＣＭを送出し、ネットワーク録画装置２でｎＰＶＲＥＣＭを入れ替えることで、有効期限を延ばすことができる。これにより、例えば、録画サービスのために録画した映像コンテンツ群を、ＶＯＤ配信等の他のサービスに転用することも可能である。
【００８０】
例えば、マルチキャストヘッドエンド１のｎＰＶＲＥＣＭ生成手段４０で、生成したｎＰＶＲＥＣＭを、少なくとも一定期間以上蓄積しておき、有効期間だけ変更して再送出するようにしておく。ネットワーク録画装置２のＥＣＭ入替手段８０が、映像蓄積手段１００に蓄積されている映像から分離手段７０を用いてｎＰＶＲＥＣＭだけを分離し、古いｎＰＶＲＥＣＭをマルチキャストヘッドエンド１へ送付する等してｎＰＣＲＥＣＭの再発行を要求すると、マルチキャストヘッドエンド１のｎＰＶＲＥＣＭ生成手段４０が、ネットワーク録画装置２に対し、有効期間を更新した新しいｎＰＶＲＥＣＭを送付する方法等が考えられる。
【産業上の利用可能性】
【００８１】
本発明によれば、放送されたコンテンツをネットワーク上で録画するネットワーク録画サービスやこれらコンテンツのＶＯＤ配信サービスといった用途に適用できる。また、録画したコンテンツをＶＯＤコンテンツへ転用して配信するサービスといった用途にも適用可能である。
【符号の説明】
【００８２】
１  マルチキャストヘッドエンド
２  ネットワーク録画装置
３  視聴端末
３ａ  ユーザ端末
４  ネットワーク
５  放送コンテンツ蓄積配信システム
１０    スクランブル手段
２０      多重化手段
３０      放送ＥＣＭ生成手段
４０    ｎＰＶＲＥＣＭ生成手段
４０ａ  第２のＥＣＭ生成手段
５０    ＥＣＭ送出手段
６０    サービス契約情報蓄積手段
７０    分離手段
８０、８０ａ  ＥＣＭ入替手段
９０    ＥＣＭ蓄積手段
１００    映像蓄積手段
１００ａ  放送コンテンツ蓄積配信手段
１１０    ＥＣＭ受信手段
１２０    ＥＣＭ利用判定手段
１３０    デスクランブル手段
【図１】
2010161505.tif 000003
【図２】
2010161505.tif 000004
【図３】
2010161505.tif 000005
【図４】
2010161505.tif 000006
【図５】
2010161505.tif 000007
【図６】
2010161505.tif 000008
【図７】
2010161505.tif 000009
【図８】
2010161505.tif 000010
【図９】
2010161505.tif 000011
【図１０】
2010161505.tif 000012